(57)【特許請求の範囲】
【請求項１】
水栓本体と一体形成されている継手部の先端内周面にセレーションが設けられ、かつ前記継手部が簡易着脱機構を有する簡易継手一体型水栓と、一端に前記継手部の簡易着脱機構に対し着脱自在である継手部を有し、かつ他端に供給継手にねじ込み可能な雄ねじ部が設けてあるプラグとから構成され、
前記プラグは、これに備わっている前記継手部と前記雄ねじ部の境界に形成された鍔部を有するとともに、プラグ側の前記継手部の外周面に、簡易継手一体型水栓側の前記セレーションが嵌込み可能なように設けられた複数の突起を有するセレーションを有し、
さらに、前記複数の突起のそれぞれは、前記外周面よりも上方に突出した状態でプラグ側の前記継手部の先端側から、前記外周面の軸方向に沿って延設されて前記鍔部の手前まで至る平面視矩形形状に形成されている一方、前記プラグは、これら突起間に露出している外周面を周方向に有し、
しかも簡易継手一体型水栓側の前記継手部は、プラグ側の前記セレーションへの嵌込み位置の目安となる目印を上面に有することを特徴とする簡易継手一体型水栓の取り付け構造。
【発明の詳細な説明】
【０００１】
【発明の属する技術分野】
本発明は、簡易着脱機構を有する継手部が水栓本体に一体形成されている簡易継手一体型水栓の取り付け構造に関する。
【０００２】
【従来の技術】
従来の単水栓や湯水混合栓などの水栓の、水栓に水または湯を供給する供給口に対する固定は、水栓の雄ねじ状の継手部を前記供給口にねじ込んだ後、継手部と供給口の接続部分にシールテープを巻き付けることにより行っていた。
【０００３】
【発明が解決しようとする課題】
しかし、上記の方法では、水栓の継手部を供給口にねじ込むことで取り付けるため、水栓の上下が適切な位置にくるように固定することが難しく、手間がかかり、また、前記継手部を供給口にねじ込むときに、無理な力がかかったりして供給口を形成する配管が破損したりした。
【０００４】
本発明は上述の事柄に留意してなされたもので、その目的は、単水栓や湯水混合栓などの水栓の継手部を改善することにより、水栓へ水や湯を供給する供給口への取り付けおよび取り外しが簡単な水栓の取り付け構造を提供することである。
【０００５】
【課題を解決するための手段】
上記目的を達成するために、本発明の簡易継手一体型水栓の取り付け構造は、水栓本体と一体形成されている継手部の先端内周面にセレーションが設けられ、かつ前記継手部が簡易着脱機構を有する簡易継手一体型水栓と、一端に前記継手部の簡易着脱機構に対し着脱自在である継手部を有し、かつ他端に供給継手にねじ込み可能な雄ねじ部が設けてあるプラグとから構成され、
前記プラグは、これに備わっている前記継手部と前記雄ねじ部の境界に形成された鍔部を有するとともに、プラグ側の前記継手部の外周面に、簡易継手一体型水栓側の前記セレーションが嵌込み可能なように設けられた複数の突起を有するセレーションを有し、
さらに、前記複数の突起のそれぞれは、前記外周面よりも上方に突出した状態でプラグ側の前記継手部の先端側から、前記外周面の軸方向に沿って延設されて前記鍔部の手前まで至る平面視矩形形状に形成されている一方、前記プラグは、これら突起間に露出している外周面を周方向に有し、
しかも簡易継手一体型水栓側の前記継手部は、プラグ側の前記セレーションへの嵌込み位置の目安となる目印を上面に有している。
【０００６】
上記の構成により、水栓へ水や湯を供給する供給口への取り付けおよび取り外しが簡単な水栓の取り付け構造を提供することができる。
【０００７】
【０００８】
【発明の実施の形態】
以下、この発明の実施例を、図を参照しながら説明する。
図１は参考例における簡易継手一体型水栓の取り付け構造Ｄの構成を概略的に示す斜視図であり、１は湯水混合栓の水栓本体であり、水栓本体１は、主に胴体２と湯流入路３と水流入路４と吐出管６とから構成されている。一端に温度を調整するための温度調整ハンドル１０を、他端に水および温度調整された混合水の流量を調整するための流量調整ハンドル１１を有したほぼ円筒状の胴体２の背面には、湯流入路３および水流入路４と、シャワーヘッド７につながるシャワ−ホ−ス５が接続され、また、本体２の下面には吐出管６が設けられている。さらに、前記湯流入路３と水流入路４の先端にはそれぞれ継手部３’および継手部４’が水栓本体１に一体形成されている。
【０００９】
前記継手部３’および継手部４’は簡易着脱機構（例えば、特願平１１−１０１９３号明細書、図面に記載の簡易着脱機構）を有しており、水栓本体１へ水および湯を供給するために壁に設けられた湯供給継手８および水供給継手９に対して着脱自在である。
【００１０】
図２は簡易継手一体型水栓の取り付け構造Ｄの構造を概略的に示す縦断面図であり、継手部３’と同様の構造をした簡易着脱機構の継手部４’は、本体１３と、スライド部１４と、押さえリング１５と、ばね１６と、４つの球状体１７、１７、１７、１７によって構成されている。ほぼ円筒状の本体１３は、例えば合成樹脂で形成されていて、先端部よりに設けられた、本体１３の外側から内側へと付勢される前記球状体１７が内側に所定の長さだけ突出できる大きさとした流路方向に長い４つの長孔１９、１９、１９、１９と、外周の後端部側に設けられた鍔部２０および２つの押さえリング後退防止部２１、２１を有している。２つの突起部１５’、１５’を設けてある、例えばポリアセタール樹脂から成る押さえリング１５は本体１３の外周に設けられていて、ばね１６によって、先端部方向に付勢されている。さらに、押さえリング１５の外周には、本体１３と同じく、例えば合成樹脂製のスライド部１４が設けられており、前記２つの突起部１５’、１５’はスライド部１４の２か所にある切り欠き部分から外部へ露出している。このスライド部１４と長孔１９と押さえリング１５によって、例えばステンレスから成る球状体１７は保持されているとともに、球状体１７が回転しながら長孔１９に沿って流路方向にスライドすることによって、球状体１７に当接するスライド部１４と押さえリング１５が本体１３の外側に沿って流路方向に滑らかにスライドできるようになっている。
【００１１】
次に、簡易継手一体型水栓の取り付け構造Ｄの継手部４’の取り付けおよび取り外しについて説明する。なお、継手部３’も同様である。
継手部４’を供給継手９に接続するには、押さえリング１５の２つの突起部１５’、１５’を押さえながらスライド部１４を押さえリング１５の後端部が鍔部２０に当接するまで後端部側へスライドさせる。このとき、スライド部１４の先端部が球状体１７を保持するための長孔１９の位置に来ることで、球状体１７が抜け落ちない程度のスペースが生じるように構成されていて、本体１３の内側の面よりも内側へ突出していた球状体１７が外側にもある程度自由に動くことができるようになり、結果として球状体１７の突出により挿入できなかった供給継手８を、本体１３の内部へ挿入できるようになる。この状態を保ったまま、本体１３の先端部内へ供給継手８を奥まで嵌め込む。そして、後端部側にスライドさせていたスライド部１４を放すと、再び球状体１７がスライド部１４によって本体１３内側へと付勢されるため、継手部４’と供給継手９は固定され、接続は完了する。
【００１２】
反対に、継手部４’と供給継手９の接続を解除するには、押さえリング１５の２つの突起部１５’、１５’を押さえながらスライド部１４を押さえリング１５の後端部が鍔部２０に当接するまで後端部側へスライドさせ、この状態を保ったまま、本体１３を供給継手９から引き抜けば解除が完了する。
【００１３】
上記の構成により、継手部４’と水供給継手９との着脱並びに継手部３’と湯供給継手８の着脱が簡単になり、また、継手部３’と湯供給継手８を接続している状態、または、継手部４’と水供給継手９を接続している状態で、万が一何らかの意図しない力がかかり、スライド部１４が後端部側にスライドしたとしても、押さえリング１５の２つの突起部１５’、１５’を押さえない限り、必ず押さえリング１５の後端部と本体１３の外周にある鍔部２０に設けられた押さえリング後退防止部２１が当接するため、押さえリング１５の後端部が鍔部２０に当接する位置までスライド部１４が後端部側にスライドすることはなく、継手部３’と湯供給継手８との接続並びに継手部４’と水供給継手９の接続が、意図せずに解かれることはない。
【００１４】
図３は、継手部４’と水供給継手９との接続時の構成を概略的に示す縦断面図であり、水供給継手９の先端には、図に示すような８つの突起を有するセレーションが設けられており、継手部４’の本体１３の先端は、水供給継手９のセレーションに対応する凹凸を有する構造となっている。このため、継手部４’と水供給継手９の接続中に、継手部４’が水供給継手９に対して回転するのを防止できる。なお、継手部３’と湯供給継手８との構成も同様である。
【００１５】
図４は本発明の一実施例における簡易継手一体型水栓の取り付け構造Ｄの構成を概略的に示す斜視図である。
２２は単水栓の水栓本体であり、水栓本体２２の前面に接続された吐水管２３と、水栓本体２２の上面に接続された流量調整レバー２４とから構成されている。また、水栓本体２２の背面には、前記簡易着脱機構を有する継手部３０が一体形成されている。なお、継手部３０は第一実施例の継手部３’とほとんど同様の構成であるが、相違点は、先端付近の上面に目印３１が設けられており、この目印３１を、後述するプラグ２５のセレーション２９の位置に合わせて嵌め込めば、スムーズに接続することができる。
【００１６】
一方、２５は、一端に継手部３０の簡易着脱機構に対して着脱自在である継手部２６を有し、他端に雄ねじ部２７を有するプラグであり、継手部２６と雄ねじ部２７の境界に円形状の鍔部２８が形成されている。また、継手部２６には、８つの突起を有するセレーション２９が設けられ、継手部３０との接続時に継手部３０が継手部２６に対して回転するのを防止することができる。
【００１７】
次に、簡易継手一体型水栓の取り付け構造Ｄの取り付けについて説明する。
まず、先端に雌ねじ部が設けられている供給継手（図示せず）に、プラグ２５の雄ねじ部２７をねじ込む。そして、継手部３０を継手部２６に接続するだけでよい。継手部３０と継手部２６の接続および解除方法は、継手部３’と供給継手８との接続および解除方法と同様である。それに加えて、上記したように目印３１を活用すれば、よりスムーズに継手部３０と継手部２６の接続をおこなえる。
【００１８】
上記２つの実施例において、セレーションの構造を、突起を８つ有する形状としたが、これに限るものではない。
【００１９】
【発明の効果】
以上説明したように、本発明の簡易継手一体型水栓の取り付け構造は、水栓本体と一体形成されている継手部の先端にセレーションが設けられ、また、前記継手部が簡易着脱機構を有している。
【００２０】
上記の構成により、水栓へ水や湯を供給する供給口への取り付けおよび取り外しが簡単な水栓の取り付け構造を提供することができる。
【００２１】
さらに、前記簡易継手一体型水栓の取り付け構造に、一端が前記継手部の簡易着脱機構に対し着脱自在であり、かつ他端に雄ねじ部が設けてあるプラグを用いれば、前記供給口が雌ねじである場合にも使用することができる。
【図面の簡単な説明】
【図１】  参考例における簡易継手一体型水栓の取り付け構造の構成を概略的に示す斜視図である。
【図２】  参考例の構造を概略的に示す縦断面図である。
【図３】  参考例の継手部と水供給継手との接続時の構成を概略的に示す縦断面図である。
【図４】  本発明の一実施例における簡易継手一体型水栓の取り付け構造の構成を概略的に示す斜視図である。
【符号の説明】
１…水栓本体、２５…プラグ、２６，３０…継手部、２８…鍔部、２９…プラグ側のセレーション、３１…目印、Ｄ…簡易継手一体型水栓の取り付け構造。
【図１】
0004413309.tif 000002
【図２】
0004413309.tif 000003
【図３】
0004413309.tif 000004
【図４】
0004413309.tif 000005